(57)【要約】【課題】本発明は、簡単に装着でき、今まで履いていたスパイク等を履くことができるとともに、サッカー等の激しいスポーツをしても、確実に捻挫等の怪我を防止することができて、しかも、何度でも繰り返し使用できる足首保護具を得るにある。【解決手段】足首の両側部に配される、少なくともくるぶしの先端部分が当らないように形成されたクッション材と、このクッション材を取付けた、革あるいは革に準ずる材質で形成されたシート材と、前記クッション材を足首の両側部に配した状態で前記シート材を締め付け固定することができる固定バンドとで足首保護具を構成している。【選択図】図１
2004337483.tif 000002
【特許請求の範囲】
【請求項１】
足首の両側部に配される、少なくともくるぶしの先端部分が当らないように形成されたクッション材と、このクッション材を取付けた、革あるいは革に準ずる材質で形成されたシート材と、前記クッション材を足首の両側部に配した状態で前記シート材を締め付け固定することができる固定バンドとからなることを特徴とする足首保護具。
【請求項２】
足首の両側部に配される、少なくともくるぶしの先端部分が当らないように形成されたクッション材と、このクッション材を着脱可能に取付けた、革あるいは革に準ずる材質で形成されたシート材と、前記クッション材を足首の両側部に配した状態で前記シート材を締め付け固定することができる面ファスナーを備えた固定バンドとからなることを特徴とする足首保護具。
【請求項３】
足首の両側部に配されるクッション材と、このクッション材を取付けたシート材と、前記クッション材を足首の両側部に配した状態で前記シート材を締め付け固定することができる固定バンドとからなることを特徴とする足首保護具。
【請求項４】
シ―ト材は通気性を有するように形成されたものであることを特徴とする請求項１、２あるいは３に記載の足首保護具。
【発明の詳細な説明】
【０００１】
【発明の属する技術分野】本発明は足首の捻挫等を防止することができる足首保護具に関する。
【０００２】
【従来の技術】
従来、サッカー等のスポーツにおいて、足首の捻挫等を防止するために、テーピングをしたり、ゴム布製等のサポーターを着用したり、テーピングとサポーターとを併用したりしている。
【０００３】
【発明が解決しようとする課題】
従来のテーピングの場合は、テープを貼る作業に時間を要するとともに、適切なテーピングをするには技術を要するので、手軽に用いることができないという欠点があった。また、一度使用したテープはゴミになるだけで再利用できないので、経済的でないとい欠点があった。
さらに、サポーターの場合は、ゴム布製等の材質で一体的に形成されているため、くるぶし等にあたる部分が使用によって磨耗しても、その部分のみの修理ができず、全体を買い替えなければならないので経済的でないとともに、ある種のサポーターについては、着用すると今まで履いていたスパイク等のサイズが合わなくなってしまうという欠点があった。
また、テーピングやサポーターの場合は、蹴り等の外的衝撃から足首を適切に保護することができないという欠点があった。
【０００４】
本発明は以上のような従来の欠点に鑑み、簡単に装着でき、今まで履いていたスパイク等を履くことができるとともに、サッカー等の激しいスポーツをしても、確実に捻挫等の怪我を防止することができて、しかも、何度でも繰り返し使用できる、部分的に取替えも可能で長期にわたって用いることができる足首保護具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は、足首の両側部に配される、少なくともくるぶしの先端部分が当らないように形成されたクッション材と、このクッション材を取付けた、革あるいは革に準ずる材質で形成されたシート材と、前記クッション材を足首の両側部に配した状態で前記シート材を締め付け固定することができる固定バンドとで足首保護具を構成している。
【０００７】
【発明の実施の形態】
以下、図面に示す実施の形態により、本発明を詳細に説明する。
【０００８】
図１ないし図８に示す本発明の第１の実施の形態において、１は足首の捻挫等を防止することができる本発明の足首保護具で、この足首保護具１は、足首の両側部に配される、少なくともくるぶしの先端部分が当らないように形成されたクッション材２、２と、このクッション材２、２を取付けた、革あるいは革に準ずる材質で形成されたシート材３と、前記クッション材２、２を足首の両側部に配した状態で前記シート材３を締め付け固定することができる固定バンド４とで構成されている。
【０００９】
前記クッション材２、２は、弾性を有する合成発砲樹脂等で形成され、厚み幅が凡そ１ｃｍで、上端部が平坦で下端部に向かって略楕円形状となるように形成されたクッション材本体５と、このクッション材本体５の外方側の面に取付けられた、シート材３に着脱可能に取付けられるテープ材６と、前記クッション材本体５に形成された、くるぶしの先端部分が挿入されて該部分がクッション材本体５に当らないように形成された略円柱状の貫通孔７と、前記クッション材本体５に複数形成された通気用の孔８とで構成されている。
【００１０】
このクッション材２、２は、シート材３に着脱可能に取付けることにより、該クッション材２が長期の使用により磨耗や破損等した場合には、破損等したクッション材２を取り外して新たなクッション材２をシート材３に取付けて使用することができる。
【００１１】
前記シート材３は、革あるいは革に準ずる材質、本発明の実施の形態では革で形成されているとともに、中央部が土踏まず部分の下方に配され、両端部が足首の両側部に配されることができるように形成されたシート材本体９と、このシート材本体９の前記クッション材２、２に形成された貫通孔７、７と対応する部位に形成された孔１０、１０と、前記シート材本体９の前記クッション材２に形成された通気用の孔８と対応する部位および土踏まず部分に対応する部位に形成された孔１１とで構成され、両端部に前記クッション材２、２が着脱可能に取付けられている。
【００１２】
また、前記シート材３の外方面の両端部および両端部寄りの部位、一方のクッション材取付け部位のかかと部分の上方に配される部位には後述する固定バンド４の雄型の面ファスナー１２と係着される雌型の面ファスナー１３、１３、１３がそれぞれ縫い付け等によって固定されている。なお、固定バンド４に雌型の面ファスナー１３を用いた場合は、該シート材３には雄型の面ファスナー１２を用いる。
【００１３】
前記固定バンド４は、前記シート材３の前端両側部寄りの部位に２本配され、該シート材３に傾斜状態で後端部が固定された、布ゴムベルトで形成された第１・第２の固定バンド１４、１５と、前記シート材３の他方のクッション材取付け部位のかかと部分の上方に配される部位に後端部が固定された、布ゴムベルトで形成された第３の固定バンド１６とで構成されている。
【００１４】
上記構成の足首保護具１は、先ず、図４に示すように、シート材３の中央部を土踏まず部分にあてがい、両端部を上方にもってくるとともに、クッション材２、２を足首の両側部に位置するように配する。この際、くるぶしの先端部分１７をクッション材２の貫通孔７に挿入するように取付ける。
【００１５】
次に、図５ないし図７に示すように、第３の固定バンド１６でかかと部分を固定し、第１・第２の固定バンド１４、１５を一旦、足の前方でクロスさせ、この状態で第１・第２の固定バンド１４、１５の先端部をそれぞれ足の後方に回してさらに先端部をクロスさせてから、シート材３の雌型の面ファスナー１３、１３にそれぞれ取付けて固定する。この固定作業は、第１・第２の固定バンド１４、１５を適度に引っ張る等して調整しながら行う。なお、第３の固定バンド１６の固定は、前記第１・第２の固定バンド１４・１５による固定作業の後に行ってもよい。
【００１６】
このようにして本発明の足首保護具１を足首に取付けてから、靴下１８等を履き、スパイク１９、シューズ類を履いて使用する。これにより、シート材本体９は革で形成されているため、足首に内反捻挫、外反捻挫等の原因となる捻りの力が加わっても、シート材３がこれに耐えるように作用し、確実に捻挫等を防止することができる。また、革は可撓性を有し、足の形状に沿うように取付けることができるので、装着に違和感を感じることなく用いることができる。
【００１７】
また、足首の両側部に取付けられたクッション材２、２によって、蹴り等の衝撃から適切に足首を保護することができるとともに、貫通孔７、７にくるぶしの先端部分１７、１７を挿入して取付けるので、該部分１７、１７がクッション材２で摩擦されて擦過傷になる等の不具合を確実に回避することができる。
なお、本発明の実施の形態では、素足に足首保護具１を取付けてから靴下１８等を履くように説明したが、最初に靴下１８を履いてから足首保護具１を取付けてスパイク１９、シューズ類を履いて用いることも可能である。
【００１８】
【発明の異なる実施の形態】
次に、図９ないし図２１に示す本発明の異なる実施の形態について説明する。なお、これらの本発明の異なる実施の形態の説明に当って、前記本発明の第１の実施の形態と同一構成部分には同一符号を付して重複する説明を省略する。
【００１９】
図９ないし図１１に示す本発明の第２の実施の形態において、前記本発明の第１の実施の形態と主に異なる点は、シート材３の両端部あるいは両端部寄りの部位に複数個のゴム材で形成されたクッション材取付け片２０を取付け、このクッション材取付け片２０と対応する部分に取付け用の差込口２１が形成されたクッション材２Ａを差し込んで着脱可能に取付けるように構成するとともに、非伸縮性の素材で形成された第１・第２の固定バンド１４Ａ、１５Ａを、前記シート材３に長さ調節手段２２を介してそれぞれ着脱可能に取付けて構成した点で、このようなクッション材２Ａや第１・第２の固定バンド１４Ａ、１５Ａを備えた固定バンド４Ａおよび長さ調節手段２２を構成した足首保護具１Ａにしても前記本発明の第１の実施の形態と同様の作用効果が得られる。
【００２０】
なお、前記長さ調節手段２２は、シート材３の前端両側部寄りの部位に固定された突片２３、２３と、この突片２３、２３にそれぞれ着脱可能に取付けられる前記第１・第２の固定バンド１４Ａ、１５Ａの後端部および後端部寄りの部位に複数個形成された長さ調節用の孔２４とで構成されている。
【００２１】
また、本発明の実施の形態および前記本発明の第１の実施の形態において、クッション材２、２Ａとシート材３との固定は、テープ材６を用いたものや複数個のクッション材取付け片２０を用いたものについて説明したが、本発明はこれに限らず、例えば、面ファスナー等の固定手段を用いてもよい。
【００２２】
図１２および図１３に示す本発明の第３の実施の形態において、前記本発明の第１の実施の形態と主に異なる点は、切欠部２５を形成するように略Ｃ字状で形成されたクッション材本体５Ｂを有するクッション材２Ｂと、このクッション材を２Ｂを着脱可能に取付けた、革に準ずる材質、本発明の実施の形態では不織布等で形成されたシート材３Ａを用いるとともに、このシート材３Ａの外方側の両端部一面に通気性を有する起毛状の布シート２６を縫い付け等によって設けた点で、このようなシート材３Ａ等を構成した足首保護具１Ｂにしても前記本発明の第１の実施の形態と同様の作用効果が得られるとともに、固定バンド４を任意の位置に取付けることができる。
【００２３】
図１４および図１５に示す本発明の第４の実施の形態において、前記本発明の第１の実施の形態と主に異なる点は、クッション材２、２をそれぞれ着脱可能に取付けることができる２枚からなるシート材本体９Ａ、９Ａと、この２枚のシート材本体９Ａ、９Ａを両端部に取付けた非伸縮性あるいは伸縮性の低い布で形成された通気性を有する中央シート材２７とからなるシート材３Ｂを用いた点で、このようなシート材３Ｂを用いた足首保護具１Ｃにしても前記本発明の第１の実施の形態と同様の作用効果が得られる。
【００２４】
図１６ないし図１８に示す本発明の第５の実施の形態において、前記本発明の第１の実施の形態と主に異なる点は、孔１０、１０を形成しないシート材３Ｃと、このシート材３Ｃの一方のクッション材取付け部位に、前方に平行して突出された、内側の先端部に雄型の面ファスナー２８が設けられた、少なくとも外側が起毛状で、前記雄型の面ファスナー２８と係着する布製の第１・第２の固定バンド１４Ｂ、１５Ｂを用いるとともに、クッション材本体５に、くるぶしの先端部分１７が挿入されて該部分１７がクッション材本体５に当らないように凹部２９を形成したクッション材２Ｃを用いた点で、このような第１・第２の固定バンド１４Ｂ、１５Ｂを有する固定バンド４Ｂおよびクッション材２Ｃを構成した足首保護具１Ｄにしてもよい。
なお、本発明の実施の形態においては、シート材３Ｃに第１・第２の固定バンド１４Ｂ、１５Ｂを固定したものについて説明したが、シート材３Ｃに第１・第２の固定バンド１４Ｂ、１５Ｂを形成しないで、市販のソックステープで固定するように構成してもよい。
【００２５】
図１９ないし図２１に示す本発明の第６の実施の形態において、前記本発明の第６の実施の形態と主に異なる点は、シート材本体９の一方のクッション材取付け部分の上方前端部に、足の脛部分を外的衝撃から保護することができるように、内面に複数の衝撃吸収材３０、３０、３０、３０を固定した脛部分保護具３１を一体的に形成した点で、このような脛部分保護具３１を一体形成したシート材３Ｄを構成したした足首保護具１Ｅにしても前記本発明の第１の実施の形態と同様の作用効果が得られるとともに、足への固定作業を１回行うだけで、足首と脛部分とを確実に保護することができる。なお、前記脛部分保護具３１の上端部寄りの部位には、雄型の面ファスナー３２を有する脛固定バンド３４と、この脛固定バンド３４の雄型の面ファスナー３２と係着する雌型の面ファスナー３３が取付けられている。
【００２６】
なお、本発明の各実施の形態において、シート材３、３Ａ〜３Ｃは、革を用いたり、不織布で形成したものについて説明したが、本発明にあってはこれに限らず、革に準ずる材質として、比較的厚手の硬質ゴムシートやナイロン製のシート材等で構成してもよい。
【００２７】
また、本発明の各実施の形態において、固定バンド４、４Ａ〜４Ｃによるシート材３の固定は、面ファスナーを用いたものについて説明したが、本発明はこれに限らず、シート材３を効果的に締め付け固定することができるものであれば、例えば、スナップホックやボタン等による固定手段を用いたり、細い固定バンドであれば、固定バンド自体を結んで固定するように構成してもよい。
【００２８】
さらに、本発明の各実施の形態では、クッション材本体５をシート材３に着脱可能に取付けたものについて説明したが、本発明はこれに限らず、クッション材本体５がシート材３から剥離できないように縫い付けや接着剤等で固定して設けてもよい。
【００２９】
【発明の効果】
以上の説明から明らかなように、本発明にあっては次に列挙する効果が得られる。
【００３０】
（１）足首の両側部に配される、少なくともくるぶしの先端部分が当らないように形成されたクッション材と、このクッション材を取付けた、革あるいは革に準ずる材質で形成されたシート材と、前記クッション材を足首の両側部に配した状態で前記シート材を締め付け固定することができる固定バンドとで構成されているので、シート材を足首にあてて固定バンドで締め付けるだけで、何度でも効果的に用いることができる。
【００３１】
（２）前記（１）によって、シート材は革あるいは革に準じた材質で形成されているので、足首に内反捻挫、外反捻挫等の原因となる捻りの力が加わっても、確実に捻挫等を防止することができるとともに、足の形状に沿うように取付けることができるので、装着に違和感を感じることなく用いることができる。
【００３２】
（３）前記（１）によって、今まで履いていたシューズ類をそのまま履くことができるので、手軽に用いることができる。
【００３３】
（４）前記（１）によって、使用時はクッション材がくるぶし部分にあたらないので、サッカー等の激しいスポーツをしても、くるぶし部分に擦過傷が生じるのを確実に回避することができる。
【００３４】
（５）請求項２も前記（１）〜（４）と同様の効果が得られるとともに、クッション材をシート材に着脱可能に取付けているので、長期の使用によりクッション材が磨耗や破損等した場合には、クッション材のみを交換して用いることができる。したがって、経済的に用いることができる。
【００３５】
（６）請求項３も前記（１）、（３）と同様の効果が得られる。
【００３６】
（７）請求項４も前記（１）〜（５）と同様の効果が得られるとともに、シート材は通気性を有しているので、蒸れを確実に回避することができる。
【図面の簡単な説明】
【図１】本発明の第１の実施の形態の正面図。
【図２】本発明の第１の実施の形態の背面図。
【図３】図１の３−３線に沿う断面図。
【図４】シート材を配した状態の説明図。
【図５】固定バンドの取付け状態を示した側面図。
【図６】固定バンドの取付け状態を示した正面図。
【図７】固定バンドの取付け状態を示した背面図。
【図８】固定バンドの取付け状態を示した断面図。
【図９】本発明の第２の実施の形態の背面図。
【図１０】本発明の第２の実施の形態の正面図。
【図１１】図９の１１−１１線に沿う断面図。
【図１２】本発明の第３の実施の形態の背面図。
【図１３】図１２の１３−１３線に沿う断面図。
【図１４】本発明の第４の実施の形態の背面図。
【図１５】図１４の１５−１５線に沿う断面図。
【図１６】本発明の第５の実施の形態の背面図。
【図１７】本発明の第５の実施の形態の正面図。
【図１８】固定バンドの取付け状態を示した断面図。
【図１９】本発明の第６の実施の形態の背面図。
【図２０】本発明の第６の実施の形態の正面図。
【図２１】本発明の第６の実施の形態の使用状態の側面図。
【符号の説明】
１、１Ａ〜１Ｅ：足首保護具、      ２、２Ａ、２Ｂ：クッション材、
３、３Ａ〜３Ｃ：シート材、        ４、４Ａ〜４Ｃ：固定バンド、
５、５Ａ、５Ｂ：クッション材本体、６：テープ材、
７：貫通孔、                      ８：通気用の孔、
９、９Ａ、９Ｂ：シート材本体、    １０：孔、
１１：孔、                        １２：雄型の面ファスナー、
１３：雌型の面ファスナー、
１４、１４Ａ、１４Ｂ：第の固定バンド、
１５、１５Ａ、１５Ｂ：第２の固定バンド、
１６：第３の固定バンド、          １７：くるぶしの先端部分、
１８：靴下、                      １９：スパイク、
２０：クッション材取付け片、      ２１：差込口、
２２：長さ調節手段、              ２３：突片、
２４：長さ調節用の孔、            ２５：切欠部、
２６：布シート、                  ２７：中央シート材、
２８：雄型の面ファスナー、        ２９：切欠部、
３０：衝撃吸収材、                ３１：脛部分保護具、
３２：雄型の面ファスナー、        ３３：雌型の面ファスナー、
３４：脛固定バンド。
【図１】
2004337483.tif 000003
【図２】
2004337483.tif 000004
【図３】
2004337483.tif 000005
【図４】
2004337483.tif 000006
【図５】
2004337483.tif 000007
【図６】
2004337483.tif 000008
【図７】
2004337483.tif 000009
【図８】
2004337483.tif 000010
【図９】
2004337483.tif 000011
【図１０】
2004337483.tif 000012
【図１１】
2004337483.tif 000013
【図１２】
2004337483.tif 000014
【図１３】
2004337483.tif 000015
【図１４】
2004337483.tif 000016
【図１５】
2004337483.tif 000017
【図１６】
2004337483.tif 000018
【図１７】
2004337483.tif 000019
【図１８】
2004337483.tif 000020
【図１９】
2004337483.tif 000021
【図２０】
2004337483.tif 000022
【図２１】
2004337483.tif 000023